(57)【特許請求の範囲】
【請求項１】
物品を載置可能な棚を有する什器本体と、
前記什器本体に取り付けられ前記棚の下方の領域を手前方から遮蔽するとともに、什器本体からの取り外しが可能な板状のカバーとを備え、
什器本体は、棚の外周縁に隣接し、棚の上面よりも上方に位置する落下抑制部を有するものであり、
カバーは、什器本体の落下抑制部への取付部を有し、取付部を落下抑制部に引っ掛けて垂下して取付けてある什器。
【請求項２】
物品を載置可能な上段の棚と下段の棚を有する什器本体と、
前記什器本体に取り付けられ下段の棚の下方の領域または上方の領域を手前方から遮蔽するとともに、什器本体からの取り外しが可能な板状のカバーとを備え、
什器本体は、棚の外周縁に隣接し、棚の上面よりも上方に位置する落下抑制部を有するものであり、
カバーは、什器本体の落下抑制部への取付部を有し、下段の棚の下方の領域を遮蔽する場合には、下段の棚の落下抑制部に上方から引っ掛けて垂下して取付けてあり、下段の棚の上方の領域を遮蔽する場合には、上段の棚の落下抑制部に上方から引っ掛けて垂下して取付けてあることを特徴とする什器。
【発明の詳細な説明】
【技術分野】
【０００１】
本発明は、商品その他の物品を載置可能な棚を有した什器に関する。
【背景技術】
【０００２】
従来より、小売店舗や卸売店舗において、種々の商品を陳列するための固定の大型の陳列棚やショーケースの他に、比較的小型のワゴン、ライトスタンド、ジャンブルケース等の什器（例えば、下記非特許文献を参照）を追加的に配置し、当該什器に特定の商品を載置して顧客に強くアピールすることが行われている。
【先行技術文献】
【非特許文献】
【０００３】
【非特許文献１】“販促什器”，コクヨ総合カタログ２０１５年版ファニチャー編，コクヨ株式会社，平成２６年１２月，ｐ．８４８−８４９
【発明の概要】
【発明が解決しようとする課題】
【０００４】
本発明は、複数の態様で使用できるフレキシブルな什器を提供することを所期の目的としている。
【課題を解決するための手段】
【０００５】
本発明では、物品を載置可能な棚を有する什器本体と、前記什器本体に取り付けられ前記棚の下方または上方の領域を手前方から遮蔽するとともに、什器本体の自立性を損なうことなく什器本体からの取り外しが可能な板状のカバーとを具備する什器を構成した。
【０００６】
並びに、本発明では、物品を載置可能な棚を有する什器本体と、前記什器本体に取り付けられ前記棚の外周縁に沿って拡張し棚の下方または上方の領域を手前方及び側方から遮蔽するとともに、什器本体の自立性を損なうことなく什器本体からの取り外しが可能なカバーとを具備する什器を構成した。
【０００７】
このようなものであれば、その使用目的や用途に応じて、カバーによって棚の下方または上方の領域を手前方から遮蔽した態様と、カバーを取り外して棚の下方または上方の領域を手前方に開放した態様とを適宜に選択することが可能となる。
【０００８】
前記什器本体に、前記棚の下方の領域を遮蔽するように前記カバーを取り付けるための被取付部と、同じ棚の上方の領域を遮蔽するように同じカバーを取り付けるための被取付部とが設けられていれば、カバーによって棚の下方の領域を手前方から遮蔽する態様と、カバーによって同じ棚の上方の領域を手前方から遮蔽する態様とを選択的にとり得るものとなる。
【０００９】
前記什器本体が、物品を載置可能な棚を複数段有しており、前記什器本体に取り付けられた前記カバーが、上段の棚と下段の棚との間の領域を遮蔽し、かつその状態で上段の棚の取り外しが可能であるならば、下段の棚とカバーとによって深底の物品収納用の空間を構築することが可能となる。
【００１０】
さらには、前記カバーが前記下段の棚の下方の領域を遮蔽する態様と、カバーが下段の棚の上方の領域を遮蔽する態様と、カバーが前記什器本体に取り付けられない態様とを選択的にとり得ることが好ましい。
【００１１】
前記什器本体に、前記棚の外周縁に隣接し棚の上面よりも上方に位置する落下抑制部が設けられ、この落下抑制部が前記カバーを取り付けるための被取付部となっており、前記カバーに、前記被取付部に係合する取付部が設けられているならば、落下抑制部が被取付部を兼ねることで部品点数の増加を抑制できる。
【発明の効果】
【００１２】
本発明によれば、複数の態様で使用できるフレキシブルな什器を提供し得る。
【図面の簡単な説明】
【００１３】
【図１】本発明の一実施形態の什器の斜視図。
【図２】同実施形態の什器の斜視図。
【図３】同実施形態の什器の分解斜視図。
【図４】同実施形態の什器の正面図。
【図５】同実施形態の什器の側断面図。
【図６】同実施形態の什器から棚を撤去した状態を示す平面図。
【図７】同実施形態の什器の支柱と脚柱との連結部分を拡大して示す正断面図。
【図８】同実施形態の什器の斜視図。
【図９】同実施形態の什器の斜視図。
【発明を実施するための形態】
【００１４】
本発明の一実施形態を、図面を参照して説明する。図１ないし図９に示す本実施形態の什器は、小売店舗や卸売店舗において商品類を陳列するための陳列棚、ハーフバスケットスタンドである。本実施形態の什器は、人手により移動させることが可能な比較的軽い重量及び比較的小型の寸法を有する。この什器は、商品その他の物品を載置可能な複数段の棚２を包有する什器本体１と、什器本体１に取り付けられて棚２の下方及び／または上方の領域を手前方及び側方から遮蔽する着脱自在のカバー４と、必要に応じて棚２の上に配することのできるブックエンド状のバックパネル５とを具備する。
【００１５】
什器本体１は、棚２と、棚２を支持する支持構造体３とを要素とする。本実施形態の什器では、棚２を上下二段設けている。各段の棚２はそれぞれ、平面視半円板状をなす、即ちその外周縁となる前縁及び左右の側縁が連続した円弧を描くような、例えば金属（特に、スチール）製の板体である。棚２は、支持構造体３に設けた棚受３１３、３１４に上方から載せ置かれ、その棚受３１３、３１４により下方から支持される。棚２の後縁付近における左右方向の中間部位には、人の指を挿入可能な大きさの貫通孔２１を穿っている。この貫通孔２１は、棚２を支持構造体３に設置し、または棚２を支持構造体３から撤去する操作に利用できる。棚２の後縁には、後述する支持構造体３の支柱３１１との干渉を避けるための切欠２２を形成してある。
【００１６】
支持構造体３は、棚２を支持する棚受３１３、３１４を含む上部フレーム３１と、棚２及び上部フレーム３１を下方から支持する脚となるベース３２とを備えた、例えば全体が金属（特に、スチール）製の構造体である。詳述すると、支持構造体３の上部フレーム３１は、左右方向に並び各々が上下方向に伸びる複数本の支柱３１１と、各支柱３１１の背面側に固着した背板３１２と、各支柱３１１の正面側にそれぞれ固着した前後方向に伸びる複数本の支持桟３１３と、背板３１２の正面側にそれぞれ固着した複数個の支持片３１４と、背板３１２の正面側に固着した平面視略半円弧状をなす外柵３１５とを有している。
【００１７】
支柱３１１は、直立する細長い筒体（特に、円筒）であり、同様の筒体である後述するベース３２の脚柱３２１とともにテレスコピック構造、即ち入れ子のように重なり合った複数の筒体が相対的に進退することでそれらの総体の長さが伸び縮みする構造をなす。並立する複数本の支柱３１１の左右方向の外法は、棚２の左右の幅寸法よりも小さい。各支柱３１１の下端部には、左右方向に沿ってねじ（ユリアねじ）３１６を挿入することを目的とした孔３１１ａを穿ってある。ねじ３１６は、棚２及び上部フレーム３１のベース３２及び床面に対する高さ位置を固定するものである。孔３１１ａは、各支柱３１１の下端部の周壁における外方を向く部位及び内方を向く部位、つまりは支柱３１１の左右にそれぞれ開通しており、双方の孔３１１ａは側面視略重なり合う。加えて、各支柱３１１の下端部の周壁における外側方を向く部位には、ナット３１１ｂを溶接等により固着している。ナット３１１ｂは、孔３１１ａと同一軸線上にあって、孔３１１ａに挿通するねじ３１６の軸部に形成された雄ねじと螺合する雌ねじ孔を構成する。
【００１８】
背板３１２は、左右方向及び上下方向に拡張した平面視略長方形状の板体である。背板３１２は、上段の棚２と下段の棚２との間の領域を後方から遮蔽するとともに、棚２に載置した物品が什器の後背に落下することを抑制する役割を担う。背板３１２の上縁は、支柱３１１の上端よりも上方に突出し、上段の棚２よりも高い位置にある。背板３１２の下縁は、支柱３１１の下端よりも上方、下段の棚２に略等しい高さまで垂下している。背板３１２の左右の幅寸法は、棚２の左右の幅寸法に匹敵する。背板３１２の左右の側端部は、前方に向かって屈曲している。
【００１９】
支持桟３１３は、側面視前方から後方に向かって略水平に伸び、後端部付近で一旦後下方に傾斜した後、後端部において上方に向かって屈曲した形状をなす棒状体（特に、丸棒）である。そして、その略垂直に起立する後端部を支柱３１１の正面側に溶接等により接合することで、支持桟３１３を支柱３１１に固定している。支持桟３１３における略水平に伸びる部分は、棚２を下方より支持する棚受の一部となる。既に述べた通り、本実施形態では棚２を上下二段設けることから、上段の棚２を支持する支持桟３１３を支柱３１１とともに左右一対設け、並びに下段の棚２を支持する支持桟３１３をやはり支柱３１１とともに左右一対設けている。上段の棚２を支持する支持桟３１３の略水平な部分の高さ位置は、支柱３１１の上端に近く、背板３１２の上縁よりも低い。下段の棚２を支持する支持桟３１３の略水平な部分の高さ位置は、背板３１２の下縁に略等しい。
【００２０】
支持片３１４は、起立した部分と略水平な部分とが側面視略Ｌ字形をなすものである。そして、その起立した部分の背面を背板３１２の正面における左右の側端部よりもやや内方の部位に溶接等により接合することで、支持片３１４を背板３１２に固定している。支持片３１４の略水平な部分は、背板３１２の正面から前方に向けて突出し、棚２を下方より支持する棚受の一部となる。本実施形態では、上段の棚２を支持する支持片３１４を支柱３１１よりも外方の位置に左右一対設け、並びに下段の棚２を支持する支持片３１４を支柱３１１よりも外方の位置に左右一対設けている。棚２を支持する支持片３１４の略水平な部分の上面の高さは、同じ棚２を支持する支持桟３１３の略水平に伸びる部分の上縁の高さに略等しい。
【００２１】
外柵３１５は、同一形状をなす上下一対の横木３１５ａ、３１５ｂと、それら横木３１５ａ、３１５ｂ同士を連結する多数本の立柱３１５ｃとにより構成する。横木３１５ａ、３１５ｂは、平面視棚２の外周縁に沿うような略半円弧状に成形した棒状体（特に、丸棒）である。立柱３１５ｃは、横木３１５ａ、３１５ｂよりも細い略垂直な棒状体（特に、丸棒）であり、その上端部及び下端部を上下の横木３１５ａ、３１５ｂにそれぞれ溶接する等して固着せしめ、以て外柵３１５を形作っている。外柵３１５は、棚２の外周縁に外方から隣接し、かつ棚２の上面よりも上方に迫り出して、棚２に載置した物品が什器の前方または側方に落下することを抑制する落下防止部となる。本実施形態では、横木３１５ａ、３１５ｂの両端部を背板３１２の正面における側端近傍の部位及び／または背板３１２の屈折した側端部の内向側面に溶接等により接合することで、外柵３１５を背板３１２に固定している。さらに、支持桟３１３の前端部を、外柵３１５を構成する下側の横木３１５ｂに溶接等により固着している。外柵３１５は、棚２と同数、つまり上下に存在している。各外柵３１５の下側の横木３１５ｂは、支持桟３１３そして棚２と略同一の高さにある。下側の横木３１５ｂから起立する立柱３１５ｃ及び立柱３１５ｃの上端部に接合する上側の横木３１５ａは、当然ながら、棚２の上面よりも高位置となる。また、下段の棚２に付随する外柵３１５の下側の横木３１５ｂの高さ位置は背板３１２の下縁に略等しく、上段の棚２に付随する外柵３１５の上側の横木３１５ａの高さ位置は背板３１２の上縁に略等しい。
【００２２】
支持構造体３のベース３２は、左右方向に並び各々が上下方向に伸びる複数本の脚柱３２１と、各脚柱３２１の下端側に固着した接地体３２２と、脚柱３２１及び接地体３２２の双方に固着した補強材３２３、３２４とを有している。
【００２３】
脚柱３２１は、直立する細長い筒体（特に、円筒）であり、上部フレーム３１の支柱３１１内に下方から挿入されることで支柱３１１とともにテレスコピック構造をなす。並立する複数本の脚柱３２１の左右方向の外法は、支柱３１１の左右方向の外法に略等しい。各脚柱３２１には、左右方向に沿ってねじ３１６を挿通するための孔３２１ａを穿ってある。孔３２１ａは、各脚柱３２１の周壁における外方を向く部位及び内方を向く部位、つまりは脚柱３２１の左右にそれぞれ開通しており、双方の孔３２１ａは側面視略重なり合う。また、棚２及び上部フレーム３１のベース３２に対する高さ位置を調整する都合上、孔３２１ａは上下方向に沿って間欠的に複数箇所（図示例では、四つ）存在している。
【００２４】
接地体３２２は、床面に接地する扁平な板体である。接地体３２２は、左右方向に伸展する後部３２２ａと、後部３２２ａの前縁から平面視略ハ字形をなすように前方に向かって伸展する前部３２２ｂと、後部３２２ａの後縁よりも後方に突出した突片３２２ｃと、後部３２２ａの後縁における突片３２２ｃに隣接する部位を前方に凹ませるように切り欠いてなる凹欠３２２ｄとを設けた部材である。突片３２２ｃと凹欠３２２ｄとの隣接箇所は、接地体３２２（そして、什器）の左右方向の概ね中央である。突片３２２ｃの左右の幅寸法は、凹欠３２２ｄの左右の幅寸法に略等しい。並びに、突片３２２ｃが後部３２２ａの後縁から後方に突出する寸法は、凹欠３２２ｄが後部３２２ａの後縁から前方に凹む寸法に略等しい。
【００２５】
補強材３２３は、脚柱３２１の外側面側及び接地体３２２の後部３２２ａの上面側の各々に溶接等により接合する。また、補強材３２４は、脚柱３２１の正面側及び接地体３２２の前部３２２ｂの上面側の各々に溶接等により接合する。同時に、この補強材３２４は、左右の脚柱３２１を相互に連結している。
【００２６】
図６に示しているように、支柱３１１及び脚柱３２１、並びにベース３２は、接地体３２２の前部３２２ｂの前端及び突片３２２ｃを除き、棚２の後縁や背板３１２よりも後方に突出することはなく、棚２の外周縁や外柵３１５よりも前方または外側方に突出することもない。
【００２７】
本実施形態にあって、上段の棚２、下段の棚２はともに、支持構造体３に対して任意に着脱が可能である。上段の棚２のみを取り外すこともでき、下段の棚２のみを取り外すこともでき、両方の棚２を取り外すこともできる。棚２を装着するためには、単に棚２を棚受となる支持桟３１３及び支持片３１４の上に載せればよい。棚２を棚受３１３、３１４に載置すると、棚２の後縁が背板３１２の正面に当接ないし近接し、棚２の外周縁である前縁及び左右の側縁が外柵３１５に当接ないし近接する。また、棚２の後縁に形成してある切欠２２の内に支柱３１１が収まる。棚２の着脱のために、ねじを回すドライバやその他の工具、鍵等を使用する必要はない。棚２は、棚受３１３、３１４や外柵３１５、支柱３１１や背板３１２からは独立した、これらとは別体の部材である。上段の棚２及び／または下段の棚２を取り外したとしても、棚受３１３、３１４、外柵３１５、支柱３１１及び背板３１２による上部フレーム３１の構造には何らの変更も生じず、支持構造体３の自立性は損なわれない。つまり、棚２を取り外した状態で什器本体１の自立が可能である。
【００２８】
本実施形態の什器では、棚２及び上部フレーム３１のベース３２及び床面に対する高さ位置を複数段階（図示例では、四段階）に調整することができる。棚２及び上部フレーム３１の高さ位置を変えるためには、支柱３１１を脚柱３２１に固定しているねじ３１６を操作してその軸部を孔３１１ａ、３２１ａから抜出し、支柱３１１の脚柱３２１に対する相対的な上下動を解禁する。次いで、支柱３１１を脚柱３２１に対して上下方向に変位させ、テレスコピック構造をなす支柱３１１及び脚柱３２１の全長を伸縮させる。そして、棚２及び上部フレーム３１が所望の高さとなるよう、支柱３１１に穿たれた孔３１１ａを、脚柱３２１に穿たれた何れかの孔３２１ａに重ね合わせる。その状態で、ねじ３１６を操作してその軸部を外側方からナット３１１ｂ及び孔３１１ａ、３２１ａに挿通し、ねじ３１６とナット３１１ｂとの螺合を通じて支柱３１１と脚柱３２１とを緊締する。これにより、支柱３１１の脚柱３２１に対する相対的な上下動が禁止され、棚２及び上部フレーム３１を所望の高さ位置に固定できる。
【００２９】
テレスコピック構造において内側の筒体となる脚柱３２１の左右両側に孔３２１ａを形成しているのみならず、脚柱３２１に覆い被さる外側の筒体である支柱３１１にも左右両側に孔３１１ａを形成していることから、支柱３１１側の孔３１１ａと脚柱３２１側の孔３２１ａとの位置を合わせようとするときに、ナット３１１ｂやねじ３１６の頭部に遮られない内側方から支柱３１１及び脚柱３２１を看視し、支柱３１１の内側方にある孔３１１ａを介して脚柱３２１の孔３２１ａの所在を視認することが可能である。図７に示しているように、ナット３１１ｂに螺着したねじ３１６の軸部の先端は、支柱３１１及び脚柱３２１の内側方の壁に穿たれた孔３１１ａ、３２１ａまでは達しない。因みに、棚２及び上部フレーム３１の高さ位置の調整作業を行う際、上段の棚２及び下段の棚２を上部フレーム３１から取り外して、上方から支柱３１１と脚柱３２１との連結部分を覗き見るようにすることもできる。
【００３０】
カバー４は、平面視棚２の外周縁（及び、外柵３１５）に沿うように拡張した、略半円筒状に成形した薄手の板体である。カバー４の上下高さ寸法は、上段の棚２と下段の棚２との上下方向に沿った離間距離よりもやや大きく、上段の棚２に隣接する外柵３１５の上側の横木３１５ａと下段の棚２に隣接する外柵３１５の下側の横木３１５ｂとの上下方向に沿った離間距離よりも若干大きい。このカバー４の左右の側端は、棚２の後縁または什器本体１の背板３１２の近傍にまで達する。カバー４は、不透明でもよいし、透明または透光性を有していてもよい。カバー４の一部または全部に無数の小径の貫通孔を穿つことでカバー４をメッシュ状のもの（典型例として、パンチングメタル）とし、外方からそれら貫通孔を介してカバー４の内側に存在する物を見透すことができるようにすることも好ましい。一方で、カバー４は、強い外力が意図的に加えられない限りその形状を維持できる程度の剛性、保形性を有していることが望ましい。
【００３１】
カバー４の内面における上端近傍の部位には、当該カバー４を什器本体１の上部フレーム３１に取り付けるための取付部として、複数のフック４１を設けている。フック４１は、前縁部及び左右の側縁部の三箇所存在する。これらフック４１は、上部フレーム３１においてカバー４を取り付けるための被取付部となる、外柵３１５の上側の横木３１５ａに係合し得る。
【００３２】
本実施形態にあって、カバー４は、什器本体１の支持構造体３に対して任意に着脱が可能である。カバー４を装着するためには、単にカバー４のフック４１を外柵３１５の横木３１５ａに上方から引っ掛ければよい。フック４１を横木３１５ａに掛け止めると、カバー４が外柵３１５の横木３１５ａ、３１５ｂに外方から当接ないし近接し、かつ棚２の外周縁に沿うように近接する。加えて、カバー４の左右の側端部が、背板３１２の左右の側端部に外側方から覆い被さる。カバー４の着脱のために、ねじを回すドライバやその他の工具、鍵等を使用する必要はない。カバー４は、棚受３１３、３１４や外柵３１５、支柱３１１や背板３１２からは独立した、これらとは別体の部材である。カバー４を取り外したとしても、棚受３１３、３１４、外柵３１５、支柱３１１及び背板３１２による上部フレーム３１の構造には何らの変更も生じず、什器本体１の自立性は損なわれない。つまり、カバー４を取り外した状態で、棚２及び棚２に載置している物品を支持した什器本体１の自立が可能である。
【００３３】
さらには、カバー４及びその被取付部たる外柵３１５が、棚２から独立している。即ち、カバー４を支持構造体３に装着した状態で上段の棚２及び／または下段の棚２を支持構造体３から取り外すことができ、上段の棚２及び／または下段の棚２を支持構造体３に装着した状態でカバー４のみを支持構造体３から取り外すこともできる。棚２及びカバー４を同時に支持構造体３に装着可能であることは言うまでもない。
【００３４】
バックパネル５は、第一の立壁５１と第二の立壁５２とが側面視略Ｌ字形をなすものである。第一の立壁５１の高さ寸法Ｈ１は、第二の立壁５２の高さ寸法Ｈ２よりも大きい。このバックパネル５は、第一の立壁５１を立てた状態で使用することができ、第二の立壁５２を立てた状態で使用することもできる。前者の場合、第二の立壁５２を水平に寝かせて棚２の上に載置する。この第二の立壁５２の平面視形状は、棚２の平面視形状よりも小さく、第二の立壁５２が背板３１２及び外柵３１５に包囲される領域内に収まる。後者の場合には、第一の立壁５１を水平に寝かせて棚２の上に載置する。この第一の立壁５１の平面視形状もまた、棚２の平面視形状よりは小さく、第一の立壁５１が背板３１２及び外柵３１５に包囲される領域内に収まる。何れの場合にも、バックパネル５の重心は棚２に載置される側の立壁５２、５１そして棚２の直上に存在しており、バックパネル５の自立が可能であって、略垂直に立てられる側の立壁５１、５２が傾倒することはない。
【００３５】
本実施形態の什器は、種々の態様で使用することが可能である。具体例を列挙すると、まず、カバー４を什器本体１から取り外し、上段の棚２の下方かつ下段の棚２の上方の領域を開放して、上段の棚２及び下段の棚２をともに利用可能とする態様がある。この場合、上段の棚２や下段の棚２の上に任意に物品を載置して展示または陳列することができ、これらの棚２に載置されている物品に手を伸ばして自由に当該物品を取り上げることもできる。カバー４を装着していないことから、下段の棚２の下方の領域も開放され、当該領域に所在する支柱３１１の下端部やねじ３１６、ベース３２等が露わとなる。
【００３６】
次に、図１に示しているように、下段の棚２の下方の領域を前方及び左右両側方から遮蔽するように、カバー４を什器本体１に取り付ける態様がある。このときには、カバー４のフック４１を下段の棚２の外周縁に隣接する外柵３１５の上側の横木３１５ａに係合させる。また、下段の棚２と接地体３２２または床面との距離がカバー４の上下高さ寸法以上となるよう、上フレームのベース３２に対する高さ位置を調節する。このカバー４は、下段の棚２の下方の領域及び当該領域に所在する支柱３１１、ねじ３１６及びベース３２等を隠蔽して目立たなくするとともに、これらに人の手や足等が触れることを抑制する働きをする。図１に示す使用態様は、下段の棚２の下方の領域に、例えば商品の在庫等の物品を保管しておくためにも有用である。当該領域に保管している物品が人の目に触れにくくなるだけでなく、その物品がカバー４の外側に転がり出てしまうことも抑えられるからである。当然ながら、上段の棚２及び下段の棚２の上には、任意の物品を載置できる。但し、下段の棚２を使用しないこととして、下段の棚２を支持構造体３から撤去してしまっても構わない。
【００３７】
図２、図４及び図５に示しているように、上段の棚２の下方の領域かつ下段の棚２の上方の領域を前方及び左右両側方から遮蔽するように、カバー４を什器本体１に取り付ける態様もとり得る。このときには、カバー４のフック４１を上段の棚２の外周縁に隣接する外柵３１５の上側の横木３１５ａに係合させる。このカバー４は、上段の棚２と下段の棚２との間の領域及び当該領域に所在する支柱３１１や背板３１２等を隠蔽して目立たなくするとともに、下段の棚２に載置し当該領域内に保管した物品に人の手等が触れることを抑制する働きをする。当該領域内に保管している物品が、カバー４の外側に転がり出て下段の棚２から脱落してしまうことも抑えられる。上段の棚２の上には、任意の物品を載置できる。
【００３８】
さらには、図８に示すように、カバー４を装着して上段の棚２と下段の棚２との間の領域を遮蔽しつつ、上段の棚２のみを支持構造体３から取り外してもよい。さすれば、下段の棚２、外柵３１５、背板３１２及びカバー４により、深底の物品収納用の空間を構築することができる。この使用態様は、長尺な物品を収容して展示または陳列するために好適であり、カバー４及び背板３１２が当該物品の下段の棚２からの脱落を効果的に抑止する。
【００３９】
また、図９に示すように、二基の什器を組み合わせて使用する態様もとり得る。即ち、一方の什器の背板３１２の背面と他方の什器のそれとを互いに当接ないし近接させるように両什器を配置して、両什器の上段の棚２及び下段の棚２がそれぞれ一枚の略真円板状の棚となるようにするのである。このときには、一方の什器の接地体３２２の後部３２２ａの後縁と他方の什器の接地体３２２の後部３２２ａの後縁とを突き合わせ、一方の什器の接地体３２２の突片３２２ｃを他方の什器の接地体３２２の凹欠３２２ｄ内に差し入れ、かつ他方の什器の接地体３２２の突片３２２ｃを一方の什器の接地体３２２の凹欠３２２ｄ内に差し入れる。これにより、一方の什器を他方の什器に対して位置決めできる、即ち一方の什器の位置と他方の什器の位置とが不意にずれてしまうことを防止できる。なお、本実施形態では、背板３１２の背面の上端近傍の部位にフック３１７を設けており、一方の什器のフック３１７を他方の什器の背板３１２の上端部に掛け止めるとともに、他方の什器のフック３１７を一方の什器の背板３１２の上端部に掛け止めることとして、両什器の結合をより強固にしている。
【００４０】
本実施形態では、物品を載置可能な棚２を有する什器本体１と、前記什器本体１に取り付けられ前記棚２の下方または上方の領域を手前方から遮蔽するとともに、什器本体１の自立性を損なうことなく什器本体１からの取り外しが可能な板状のカバー４とを具備する什器を構成した。
【００４１】
並びに、本実施形態では、物品を載置可能な棚２を有する什器本体１と、前記什器本体１に取り付けられ前記棚２の外周縁に沿って拡張し棚２の下方または上方の領域を手前方及び側方から遮蔽するとともに、什器本体１の自立性を損なうことなく什器本体１からの取り外しが可能なカバー４とを具備する什器を構成した。
【００４２】
また、本実施形態では、物品を載置可能な棚２を有する什器本体１と、前記什器本体１における前記棚２を支持する支持構造体３に取り付けられ棚２の下方または上方の領域を手前方から遮蔽するとともに、什器本体１の自立性を損なうことなく什器本体からの取り外しが可能なカバー４とを具備する什器を構成した。
【００４３】
本実施形態によれば、その使用目的や用途に応じて、カバー４によって棚２の下方または上方の領域を手前方から遮蔽した態様と、カバー４を取り外して棚２の下方または上方の領域を手前方に開放した態様とを適宜に選択することが可能となる。
【００４４】
前記什器本体１に、前記棚（下段の棚）２の下方の領域を遮蔽するように前記カバー４を取り付けるための被取付部３１５と、同じ棚２の上方の領域を遮蔽するように同じカバー４を取り付けるための被取付部３１５とが設けられているため、カバー４によって棚２の下方の領域を手前方から遮蔽する態様と、カバー４によって同じ棚２の上方の領域を手前方から遮蔽する態様とを選択的にとり得る。
【００４５】
前記什器本体１が、物品を載置可能な棚２を複数段有しており、前記什器本体１に取り付けられた前記カバー４が、上段の棚２と下段の棚２との間の領域を遮蔽し、かつその状態で上段の棚２の取り外しが可能であるため、下段の棚２とカバー４とにより深底の物品収納用の空間を構築することが可能である。
【００４６】
前記カバー４が前記下段の棚２の下方の領域を遮蔽する態様と、カバー４が下段の棚２の上方の領域を遮蔽する態様と、カバー４が前記什器本体１に取り付けられない態様とを選択的にとり得るため、什器の使用方法の幅がより一層拡大する。
【００４７】
前記什器本体１に、前記棚２の外周縁に隣接し棚２の上面よりも上方に位置する落下抑制部３１５が設けられ、この落下抑制部３１５が前記カバー４を取り付けるための被取付部となっており、前記カバー４に、前記被取付部３１５に係合する取付部４１が設けられているため、落下抑制部３１５が被取付部を兼ねることができ、部品点数の増加が抑制される。
【００４８】
本実施形態の什器では、カバー４を什器本体１に対して取り付ける高さ位置が複数存在する。換言すれば、什器本体１が複数の被取付部、即ち上段の外柵３１５及び下段の外柵３１５を備えている。カバー４に設けた取付部たるフック４１は、その何れにも係合することが可能である。
【００４９】
なお、本発明は以上に詳述した実施形態に限られるものではない。例えば、上記実施形態では、ベース３２の接地体３２２が直接床面に接地したが、ベース３２（または、接地体３２２）の下方にキャスタを装着して、そのキャスタが床面に接地するものとしてもよい。
【００５０】
上記実施形態では、棚２の外周縁即ち前縁及び側縁に沿って拡張するカバー４が一枚の板体であったが、複数枚の板体の組み合わせとしてカバー４を構成し、当該カバー４により棚２の下方または上方の領域を手前方及び側方から遮蔽する態様をとることを妨げない。この場合、カバー４を構成する複数枚の板体の各々に、取付部として例えばフック４１を設けることになる。
【００５１】
上記実施形態では、棚２が平面視略半円板状をなし、故にカバー４が略半円筒状をなしていたが、棚２及びカバー４の形状はこれに限定されない。棚２が平面視方形状をなす場合、カバー４はその前縁及び側縁に沿って拡張した平面視略コ字形または略Ｌ字形をなすことになる。
【００５２】
棚２は、板体であるとは限られず、簀の子のようなものであってもよいし、網棚であってもよい。
【００５３】
その他各部の具体的構成は、本発明の趣旨を逸脱しない範囲で種々変形が可能である。
【産業上の利用可能性】
【００５４】
本発明は、商品その他の物品を載置可能な棚を有する什器に適用することができる。
【符号の説明】
【００５５】
１…什器本体
２…棚
３１５…落下抑制部、被取付部（外柵）
４…カバー
４１…取付部（フック）
【図１】
0006607738.tif 000002
【図２】
0006607738.tif 000003
【図３】
0006607738.tif 000004
【図４】
0006607738.tif 000005
【図５】
0006607738.tif 000006
【図６】
0006607738.tif 000007
【図７】
0006607738.tif 000008
【図８】
0006607738.tif 000009
【図９】
0006607738.tif 000010